(57)【特許請求の範囲】
【請求項１】
液体が入るものでありその変形により内部の液体を排出させることができる手で保持可能なケースと、前記ケースの開口部に取り付けられて前記ケース内の液体を流出させる穴が形成された蓋材と、前記蓋材に設けられて前記穴から流出した液体を含浸する払拭用のヘッド部とが設けられた清浄器具であって、
前記ヘッド部は液体透過性の多孔質の弾性部材で形成され、前記蓋材から前方へ所定長さ突出した弾性変形可能なものであり、
前記弾性部材の内部に前記弾性部材よりも剛性が高くかつ弾性変形可能な軸部が設けられており、前記軸部には基端部から先端まで貫通する貫通孔が形成され、前記基端部には側方へ延出する支持板が設けられており、前記液体が前記弾性部材へ流入する流入口が前記支持板の側縁部および前記貫通孔の先端に形成されていることを特徴とする清浄器具。
【請求項２】
前記ヘッド部は前記蓋材に対して着脱自在であり、前記蓋材には前記穴が複数形成されており、前記ヘッド部を取り外したときに前記液体は、前記複数の穴からシャワー状態で流出可能である請求項１記載の清浄器具。
【請求項３】
前記ケースの容積は、５０×１０-6ｍ3以上５００×１０-6ｍ3以下である請求項１または２に記載の清浄器具。
【発明の詳細な説明】
【０００１】
【発明の属する技術分野】
本発明は、人の肛門およびその周囲や女性の生殖器およびその周囲などを洗浄するのに適する清浄器具に関する。
【０００２】
【従来の技術】
液状の薬品や化粧品を皮膚表面に塗布するものとして、液体を充填したケースの先端に、スポンジ状のヘッド部が設けられているものがある。これは、ケース内に充填された液体を前記ヘッド部の表面に滲み出させて塗布するものである。この種の製品を使用するときには、ケースの側面を両側から押圧して、内部の液体を前記ヘッド部の表面に滲み出させ、この滲み出た液体を人の肌の表面に塗布する。
【０００３】
【発明が解決しようとする課題】
しかし、従来の前記製品は、液体をヘッド部の表面に滲み出させて、その液体を人の肌に単に塗布するものである。そのため、ヘッド部への液体の滲み出し量がわずかで、肌表面の汚れをふき取るだけの液体を滲み出させることができないものが主である。また前記ヘッド部はケースの一部に露出する程度に少しだけ突出する大きさであり、よってヘッド部自体が肌に当たった状態で自由に変形しにくいものであり、前記ヘッド部によって汚れを十分に拭き取れるように変形させることができない。
【０００４】
また、老人介護でのおむつ交換や幼児のおむつ交換、あるいは生理中の女性が生理用ナプキンを交換したときなどにおいて、肛門や生殖器の部分を局部的に清浄することが必要な場合がある。従来、前記肛門や生殖器を清浄する器具としてシャワートイレなどの設置型のものが存在している。しかし手で保持して使用できるコンパクトなものが存在していなかった。
【０００５】
本発明は、上記課題を解決するものであり、汚れを洗浄でき且つ払拭でき、しかも人の排泄部の清掃用として好適で、且つ手で保持して使用することができる清浄器具を提供することを目的とする。
【０００６】
【課題を解決するための手段】
本発明は、液体が入るものでありその変形により内部の液体を排出させることができる手で保持可能なケースと、前記ケースの開口部に取り付けられて前記ケース内の液体を流出させる穴が形成された蓋材と、前記蓋材に設けられて前記穴から流出した液体を含浸する払拭用のヘッド部とが設けられた清浄器具であって、
前記ヘッド部は液体透過性の多孔質の弾性部材で形成され、前記蓋材から前方へ所定長さ突出した弾性変形可能なものであり、
前記弾性部材の内部に前記弾性部材よりも剛性が高くかつ弾性変形可能な軸部が設けられており、前記軸部には基端部から先端まで貫通する貫通孔が形成され、前記基端部には側方へ延出する支持板が設けられており、前記液体が前記弾性部材へ流入する流入口が支持板の側縁部および前記貫通孔の先端に形成されていることを特徴とするものである。
【０００７】
本発明の清浄器具では、ケースを手で押すと、内部の液体が蓋材の穴を通過して流出してヘッド部内に前記液体が含浸される。液体を含浸した前記ヘッド部は蓋材から前方へ所定の長さで突出して弾性変形可能であるため、液体を含浸させたヘッド部で肛門またはその周囲や、生殖器およびその周囲に前記ヘッド部を当て、前記ヘッド部を変形させて、汚れを拭き取ることが可能である。
【０００８】
また、前記ヘッド部は前記蓋材に対して着脱自在であり、前記蓋材には前記穴が複数形成されており、前記ヘッド部を取り外したときに前記液体は、前記複数の穴からシャワー状態で流出可能である。
【０００９】
前記ヘッド部を取り外して使用すると、蓋材の複数の穴から液体をシャワー状態で噴出させて、人体を局部的に洗うことができる。また蓋材に複数の穴を形成しておくと、ケース内の液体をヘッド部に多く含浸させることができる。
【００１０】
例えば、前記ヘッド部は、液体透過性の多孔質の弾性部材で形成されている。ヘッド部が多孔質の弾性部材で形成されていると、ヘッド部全体に液体を含浸させた状態で、清浄機能を発揮させることができる。
【００１１】
また、前記ヘッド部では、前記弾性部材の内部に、前記弾性部材よりも剛性の高い弾性変形可能な軸部が設けられ、前記軸部に液体を透過させる貫通孔が形成されているものであってもよい。
【００１２】
前記軸部を設けると、軟質な弾性部材を用いた場合であっても、ヘッド部に自立性を持たせることができ、肌に付着した汚れを拭き取りやすくなる。
【００１３】
また、前記ケースの容積は、５０×１０-6ｍ3以上５００×１０-6ｍ3以下であることが好ましい。
【００１４】
前記範囲内であれば、ケースを手で保持して使用することができ、また携帯可能な大きさのものとすることもできる。
【００１５】
【発明の実施の形態】
図１は本発明の清浄器具の一例を示す斜視図、図２は清浄器具を示す分解斜視図、図３はヘッド部を示す断面図である。本実施の形態の清浄器具は、例えば、老人介護用または乳幼児用として排泄物処理時に肛門を清潔にするためのケア用品として使用することができる。
【００１６】
図１に示すように、清浄器具１は、ケース１０と、蓋材２０と、ヘッド部３０で構成されている。
【００１７】
ケース１０は、ケース本体１１の一端に円形の開口部１３が形成されている（図２参照）。ケース本体１１は、細長形状で且つ手で保持可能な大きさで、内部に空間１４が形成されたボトル形状となっている。また前記開口部１３が形成されている出口部分は円筒状に形成されており、前記円筒状の外周面に蓋材２０を連結させる連結手段１２が形成されている。この連結手段１２は、リング状に突出する雄ねじ部１５となっている。
【００１８】
またケース１０の容積は５０×１０-6ｍ3以上５００×１０-6ｍ3以下に設定することが好ましい。容積を前記範囲に設定すると手で保持して使用することができ、しかも携帯性に優れたものになる。前記ケース１０内には、水、お湯、または身体に触れても害のない洗浄液などの液体を充填して使用できる。
【００１９】
前記ケース１０は、例えばＰＥ（ポリエチレン）、ＰＰ（ポリプロピレン）、ＰＥＴ（ポリエチレンテレフタレート）などの熱可塑性樹脂などをインジェクション成型やブロー成型によって得ることができる。またケース１０では、その側面を押圧したときに凹み変形可能な弾性力を持つ素材で形成されていることが好ましい。またケース１０の底面は、立てた状態を保持できるように平坦形状であり、前記ケース１０を立てたときに、前記開口部１３が斜め上方を向く形状である。
【００２０】
図２に示すように、蓋材２０は、円筒形状で且つ先端に流量調節板２１が一体に形成されている。流量調節板２１では、その周縁部が前方へ突出するリング状の嵌合部２３となっている。流量調節板２１には前記開口部１３の直径よりも小径の複数個の穴２２が貫通して形成されており、これらの穴２２が円形状に等ピッチで配列されている。
【００２１】
なお、前記蓋材２０についても、前記ケース１０と同様な熱可塑性樹脂をインジェクション成型またはブロー成型によって得ることができる。また蓋材２０の基端側の内面には図示しない螺旋溝が形成されており、この螺旋溝が前記連結手段１２の外面に形成された雄ねじ部１５に螺着されて連結されている。
【００２２】
本実施の形態では、前記流量調節板２１の穴２２を円状に配列したが、これに限られずランダムに配列したものであってもよく、また穴２２の径寸法も使用形態に応じて適宜変更できる。前記ケース１０と前記蓋材２０との連結方法は、螺着によるものに限らず、ケース１０と蓋材２０の一方に凸部を設け、他方に前記凸部と嵌合する凹部を設けた形状により両者を嵌合させて着脱自在とするものであってもよい。
【００２３】
図２と図３に示すように、前記ヘッド部３０は、ヘッド本体３１と、蓋材２０に着脱自在に取り付けるための連結部材３２で構成されている。ヘッド本体３１は、Ｙ方向の前方に延びる細長形状で且つその先端部分が丸みを帯びた弾性部材３１ａにより形成されている。
【００２４】
前記弾性部材３１ａは、液体を透過可能な多孔質物質の素材などから選択することができ、例えば入浴用などに使用される海綿や合成樹脂で形成された弾性を有するいわゆるスポンジを使用できる。前記弾性部材３１ａは、密度が２０〜８０ｋｇ／ｍ3で且つセル数が１５〜７０個／２５ｍｍ以下であることが好ましい。なお、セル数が１５〜７０個／２５ｍｍであるとは、長さ２５ｍｍ、幅０．２ｍｍの直線上に交差するセルが１５〜７０個存在するという意味である。
【００２５】
前記密度が２０ｋｇ／ｍ3未満では液体がだらだらと垂れ流しとなり、また８０ｋｇ／ｍ3以上では液体透過性を十分に発揮できない。また弾性部材３１ａの基端には、側方へ突出するフランジ状の突部３１ｂが一体に形成されている。
【００２６】
なお、前記弾性部材３１ａとしては、スポンジに限られず、繊維素材で形成されたものであってもよい。例えば、綿などの吸水性を有する繊維を原料としたものを使用できる。また前記弾性部材３１ａの中心には、基端から先端途中まで延びる軸穴３１ｃが形成されており、この軸穴３１ｃ内に前記弾性部材３１ａよりも剛性の高い軸部３３が挿入されている。この軸部３３としては、例えば合成樹脂製のものを選択できる。前記軸部３３の基端部には、側方へ延出する円盤状の支持板３３ｂが前記軸部３３と一体に形成され、さらに軸部３３には基端から先端まで貫通する貫通孔３３ｃが形成されている。前記軸部３３は、前記軸穴３１ｃ内に挿入された状態で、前記弾性部材３１ａに接着剤などを介して固定される。
【００２７】
図３に示すように、前記ヘッド部３０では、軸部３３の基端から先端までの長さ寸法をＬ１とし、弾性部材３１ａの基端から先端までの長さ寸法をＬ２としたときに、（Ｌ２／２）≦Ｌ１であることが好ましい。（Ｌ２／２）＞Ｌ１では、ヘッド部３０の先端を身体に押し当てたときに先端部が不安定となって先端部が著しく曲がり過ぎて操作性が損われる。
【００２８】
また、ヘッド部３０の突出長さＬ３は、３０ｍｍ以上で１５０ｍｍ以下であることが好ましい。前記長さの範囲内であれば、ヘッド部を肛門や生殖器に当てた状態で変形させ、肛門や生殖器およびこれらの周辺領域の汚れを拭き取ることができる。またヘッド部を変形させやすくするために、前記ヘッド部３０の直径Ｄは、１０ｍｍ以上で３０ｍｍ以下であることが好ましい。
【００２９】
前記連結部材３２は、前記ヘッド本体３１の基端に着脱自在に設けられている。連結部材３２の先端側では、前記ヘッド本体３１の前方に突出している部分の径とほぼ同一径寸法の挿通孔３２ａが形成され、基端側が前記径よりも大きな径の挿通孔３２ｂとなっている。これにより、前記ヘッド本体３１を連結部材３２の基端側から挿入したときに、前記ヘッド本体３１の突部３１ｂが前記挿通孔３２ａと３２ｂの間の段差部３２ｃに係止される。また支持板３３ｂが挿通孔３２ａよりも大径に形成されているので、前記支持板３３ｂが前記段差部３２ｃに係止されてヘッド本体３１がそれ以上前方へ移動して抜け出ることがない。
【００３０】
前記ヘッド部３０を前記蓋材２０に取り付ける際には、前記蓋材２０の先端のリング状の嵌合部２３を前記ヘッド本体３１と挿通孔３２ｂの内壁との間に形成される隙間３６，３６に挿入して押圧嵌合することで容易に離脱しない程度に連結される。なお、連結されたときに、流量調節板２１とヘッド本体３１の底面３７との間には隙間が形成されるようになっているので、流量調節板２１の穴２２が前記底面３７で塞がれることがなく、液体を前記穴２２を通って軸部３３の貫通孔３３ｃ内へ流れ込ませることができ、また支持板３３ｂの側縁部と蓋材２０の嵌合部２３との間の弾性部材が介在している部分から前方へ流れ込ませることができる。
【００３１】
前記ケース１０と蓋材２０とヘッド部３０は、図１に示す状態に連結される。また清浄器具１を保管しておく場合には、図２に示すキャップ４０（先端部分は閉じている）をヘッド部３０に被せることで保管できる。このときキャップ４０は、前記蓋材２０の外周面に形成された螺旋溝２４に螺着して固定される。
【００３２】
本実施の形態の清浄器具１では、ヘッド部３０を取り外して使用することで液体による洗浄効果が発揮され、ヘッド部３０を取り付けて使用することで前記洗浄だけでは落としきれない汚れを落とすことができる。洗浄時には、水などの液体が適度な圧力で汚れた部分を洗い流すことができ、清拭時には、ヘッド部３０を用いることで汚れた部分に直接手を触れることなく清潔に処理できる。
【００３３】
前記清浄器具１の蓋材２０では、前記穴２２の直径は０．５ｍｍ以上４．０ｍｍ以下とすることが好ましい。直径が０．５ｍｍ未満ではケース１０を押圧したときに液体が出難く、また液体による圧力が強くなり痛みを感じることがあり、また直径が４．０ｍｍを超えると液体が一度に大量に飛び出して洗浄機能が低下する。また穴２２は２個以上２０個以下であることが好ましい。１個では点洗浄しか行うことができず、洗浄に時間がかかり、２１個以上では液体が一挙に放出されるので洗浄効率が低下する。
【００３４】
前記清浄器具１のヘッド部３０では、ヘッド本体３１の表面の水分率は５０％以上４００％以下とすることが好ましい。水分率が５０％未満では湿る程度で汚れを落としにくく、また払拭したときに違和感を与えることがある。また水分率が４００％を超えると前記洗浄処理と何ら変わらなくなり清拭機能が低下する。
【００３５】
本実施の形態の清浄器具１では、ヘッド部を取り付けて処理する場合において、おしりや生殖器を清潔に処理する際に、ヘッド部３０が弾性変形するので、払拭面にヘッド部３０を追従しながら払拭でき、より清浄効果を高めることができる。また前記のようにヘッド部３０が弾性変形することで、被介護者や乳幼児等に柔らかい感じを与えることができるので、不快感を生じさせることがない。
【００３６】
また、蓋材２０からヘッド部３０を取り外すことで、シャワー器具として使用することもできる。このような処理を行うと、予め汚れをおおまかに落とすことができ、ヘッド部３０の目詰まりが抑えられ、しかもおしりのマッサージ効果を与えることもできる。
【００３７】
本発明の清浄器具は、老人の介護用や乳幼児の育児用、あるいは女性の生殖器およびその周辺の清浄用として使用されるものに限られず、例えばトイレの便器の清浄器具としても使用できる。この場合には、ヘッド部３０を取り付けた状態で汚れた部分を払拭して落とし、その後でヘッド部３０を取り外して液体を吹き付けることで汚れを洗い流すことができる。
【００３８】
トイレ用の清浄器具として使用する場合には、前記ヘッド部３０に代えて参考例として図４に示すヘッド部５０を使用することができる。このヘッド部５０は、液体透過性の多孔質構造の素材を用いて細長形状に形成したヘッド本体５１で形成されている。ヘッド本体５１に使用される弾性部材５１ａは、前記弾性部材３１ａより弾性係数の高い合成樹脂で形成されたものが使用され、ヘッド本体５１の全体が液透過性の素材で形成されている。
【００３９】
前記ヘッド部５０を用いることで、便器に強固に付着した汚れであっても払拭して落とすことができる。またここで使用される清浄器具についても、前記清浄器具１と同様に、前記ヘッド本体５１の基端に側方へ延びる突部５２を形成することで、突部５２が段差部３２ｃに係止されてヘッド本体５１が抜け止めされる。
【００４０】
前記ヘッド部５０を蓋材２０に装着して使用する場合には、ケース本体１１の側面を押圧することでケース本体１１内の液体が流量調節板２１の穴２２から前方へ流出する。流出した液体は、ヘッド本体５１の基端５３に当ってヘッド本体５１内に浸透し、ヘッド本体５１の表面に滲み出るが、この滲み出た状態で払拭することでより清拭効果を高めることができる。またヘッド本体５１が弾性変形することで、被払拭面が凹凸形状であっても、確実に払拭して汚れを落とすことができる。
【００４１】
【発明の効果】
以上説明した本発明は、特に老人の介護用や乳幼児の育児用としての排泄物処理時あるいは女性の生殖器の清浄用として好適に使用でき、手を汚すことなく確実に汚れを落とすことができる。また、手で保持することができ、しかも携帯性に優れる。さらに身体に直接触れる部分が着脱可能であるので交換が容易であり、常に清潔なものを使用でき衛生的である。
【図面の簡単な説明】
【図１】本発明の清浄器具の外観を示す斜視図、
【図２】本発明の清浄器具を示す分解斜視図、
【図３】図２のＩＩＩ−ＩＩＩ線の断面図、
【図４】参考例の清浄器具の一部を示す断面図、
【符号の説明】
１  清浄器具
１０  ケース
１１  ケース本体
１２  連結手段
２０  蓋材
２１  流量調節板
２２  穴
２３  嵌合部
３０  ヘッド部
３１  ヘッド本体
３１ａ  弾性部材
３１ｂ  突部
３１ｃ  軸穴
３２  連結部材
３２ａ，３２ｂ  挿通孔
３２ｃ  段差部
３３  軸部
３３ｂ  支持板
３３ｃ  貫通孔
【図１】
0004949574.tif 000002
【図２】
0004949574.tif 000003
【図３】
0004949574.tif 000004
【図４】
0004949574.tif 000005